(57)【要約】  【課題】  メインシャーシによりガタツキなくドライブシャーシを回動可能に支持できる光ピックアップ装置を提供する。  【解決手段】  ドライブシャーシ２の一端２ｃ近傍の両側面２ａ、２ｂには支軸３Ａ、３Ｂが突設され、メインシャーシ１には各軸３Ａ、３Ｂを支持するために、各軸３Ａ、３Ｂを他端２ｄ側から受け入れる受入れ部４と、受入れ部４の面４ａへ向けて突出する突片部５とが形成されている。受入れ部４は、各軸３Ａ、３Ｂの他端２ｄ側の周面に接触する面４ａ、各軸３Ａ、３Ｂの他端２ｄ側とは直角方向の周面に接触する面４ｂ、４ｃ、各軸３Ａ、３Ｂの端面に接触する面４ｄを有する。各突片部５は、側面２ａ、２ｂ側とは反対方向へ弾性変形された後、各受入れ部４に各軸３Ａ、３Ｂが受け入れられ、弾性変形が戻った後、各軸３Ａ、３Ｂの一端２ａ側の周面に先端面５ａが接触する。各突片部５の先端面５ａを含む側面２ａ、２ｂ側の角部が面取りされている。【選択図】      図１
2006302370.tif 000002
【特許請求の範囲】
【請求項１】
光ディスクが収納される合成樹脂成型品のメインシャーシと、
このメインシャーシに収納された前記光ディスクの記録面に対して接近／離間移動する
ように前記メインシャーシに支軸を中心として回動可能に支持されるとともに、光ヘッド
、接近状態で前記光ディスクを回転させる第１の駆動機構、及び接近状態で前記光ヘッド
を前記光ディスクの記録面に沿う径方向に往復移動させる第２の駆動機構を搭載した合成
樹脂成型品のドライブシャーシと、を備えた光ピックアップ装置であって、
前記ドライブシャーシの一端近傍の両側面には、前記支軸が互いに同軸上に突出して前
記ドライブシャーシと一体成型により形成され、
前記メインシャーシには、
前記各支軸を前記ドライブシャーシの他端側から受け入れて、前記各支軸の周面のうち
の前記他端へ向く方向での周面に接触する第１の接触面、及び前記他端へ向く方向と直角
な方向でのそれぞれの周面に接触する第２、第３の接触面、並びに前記各支軸の端面に接
触する第４の接触面を有する受入れ部と、
前記各第１の接触面へ向けて突出するとともに、前記ドライブシャーシの前記側面に向
く方向とは反対方向へ押圧されて弾性変形された後、前記各受入れ部に前記各支軸が受け
入れられ、次いで押圧が解除されて弾性変形が戻った後、前記各支軸の周面のうちの前記
一端へ向く方向での周面に先端面が接触する突片部と、が前記メインシャーシと一体成型
により形成された光ピックアップ装置において、
前記各突片部の前記先端面を含む角部のうちの前記ドライブシャーシの前記側面側の角
部がＲ面取りされていることを特徴とする光ピックアップ装置。
【請求項２】
光ディスクが収納される合成樹脂成型品のメインシャーシと、
このメインシャーシに収納された前記光ディスクの記録面に対して接近／離間移動する
ように前記メインシャーシに支軸を中心として回動可能に支持されるとともに、光ヘッド
、接近状態で前記光ディスクを回転させる第１の駆動機構、及び接近状態で前記光ヘッド
を前記光ディスクの記録面に沿う径方向に往復移動させる第２の駆動機構を搭載したドラ
イブシャーシと、を備えた光ピックアップ装置において、
前記ドライブシャーシの一端近傍の両側面には、前記支軸が互いに同軸上に突出して設
けられ、
前記メインシャーシには、
前記各支軸を前記ドライブシャーシの他端側から受け入れて、前記各支軸の周面のうち
の前記他端へ向く方向での周面に接触する第１の接触面、及び前記他端へ向く方向と直角
な方向でのそれぞれの周面に接触する第２、第３の接触面、並びに前記各支軸の端面に接
触する第４の接触面を有する受入れ部と、
前記各第１の接触面へ向けて突出するとともに、前記ドライブシャーシの前記側面に向
く方向とは反対方向へ押圧されて弾性変形された後、前記各受入れ部に前記各支軸が受け
入れられ、次いで押圧が解除されて弾性変形が戻った後、前記各支軸の周面のうちの前記
一端へ向く方向での周面に先端面が接触する突片部と、が前記メインシャーシと一体成型
により形成されており、
前記各突片部の前記先端面を含む角部のうちの前記ドライブシャーシの前記側面側の角
部が面取りされていることを特徴とする光ピックアップ装置。
【請求項３】
前記各突片部における前記面取りがＲ面取りであることを特徴とする請求項２に記載の
光ピックアップ装置。
【請求項４】
前記ドライブシャーシが合成樹脂成型品であって、前記各支軸が前記ドライブシャーシ
と一体成型により形成されていることを特徴とする請求項２又は３に記載の光ピックアッ
プ装置。
【発明の詳細な説明】
【技術分野】
【０００１】
本発明は、情報記録媒体であるＣＤやＤＶＤ等の光ディスクに対して情報の再生や記録
を行うための光ピックアップ装置に関する。
【背景技術】
【０００２】
一般に、光ピックアップ装置は、図５〜図７に示すように、大きくは、メインシャーシ
１と、ドライブシャーシ２とから構成される。ここでの図５は一般的な光ピックアップ装
置の組立て後の状態を示す上面図、図６はその光ピックアップ装置の分解状態を示す上面
図、図７はその光ピックアップ装置の組立て中の状態を示す上面図である。
【０００３】
メインシャーシ１は、例えばポリスチレン（ＰＳ）等の合成樹脂の成型品であり、この
メインシャーシ１には、不図示のディスクトレイが正面（図５〜図７では下側）から内外
（図５〜図７では上下方向）へ挿脱可能に支持されている。そして、メインシャーシ１の
外部へ引き出されたディスクトレイ上に光ディスクが載置され、そのディスクトレイがメ
インシャーシ１の内部へ送り込まれることによって、メインシャーシ１内に光ディスクが
収納される。
【０００４】
ドライブシャーシ２は、例えばポリフェニレンエーテル（ＰＰＥ）等の合成樹脂の成型
品であり、一端２ｃ（図５〜図７では上側）近傍の左右両側面２ａ、２ｂ（図５〜図７で
は左右の側面）には、互いに同軸上に突出する支軸３Ａ、３Ｂがドライブシャーシ２と一
体成型により形成されている。これらの各支軸３Ａ、３Ｂがメインシャーシ１に回動可能
に支持される（例えば、特許文献１参照）。その支持構造の詳細は後述する。そして、ド
ライブシャーシ２は、メインシャーシ１に対して各支軸３Ａ、３Ｂを中心として回動する
ことにより、メインシャーシ１内に収納された光ディスクの記録面（図５〜図７では紙面
の裏面側）に対して接近／離間移動（図５〜図７では紙面に対する垂直方向への移動）す
る。
【０００５】
また、ドライブシャーシ２には、光ディスクの記録面に記録されている情報を読み取っ
たり、その記録面に情報を書き込んだりするための光ヘッド（不図示）が搭載されている
。更に、ドライブシャーシ２には、光ディスクに最接近した状態で光ディスクを回転させ
るために、光ディスクの中心付近をチャッキングするチャッキングプレート（不図示）や
、このチャッキングプレートに回転力を与える電動モータ（不図示）といった、第１の駆
動機構が搭載されている。更に、ドライブシャーシ２には、光ディスクに最接近した状態
で光ヘッドを光ディスクの記録面に沿う径方向に往復移動させるために、いずれも不図示
の光ヘッド走行ガイドやラックや歯車や電動モータといった、第２の駆動機構が搭載され
ている。なお、第２の駆動機構における電動モータからの駆動力は、メインシャーシ１に
対してのドライブシャーシ２の回動やディスクトレイの挿脱にも用いられる。
【０００６】
続いて、メインシャーシ１によるドライブシャーシ２の各支軸３Ａ、３Ｂの回動可能な
支持構造の詳細について、図５〜図７に加え、図８〜図１５を参照しながら説明する。図
８は従来の光ピックアップ装置の組立て後の状態での要部、すなわちドライブシャーシ２
の左右各側面２ａ、２ｂに形成された各支軸３Ａ、３Ｂのうちで代表的に左側面２ａ側の
支軸３Ａ付近を示す上面図である。図９は図８の下面図、図１０は図８のＡ−Ａ断面図、
図１１は図８のＢ−Ｂ断面図である。図１２はその光ピックアップ装置の組立て中の状態
での図８と同様の要部を示す上面図であり、図１３は図１２の下面図、図１４は図８のＡ
−Ａ断面に相当する図１２のＣ−Ｃ断面図、図１５は図８のＢ−Ｂ断面に相当する図１２
のＤ−Ｄ断面図である。
【０００７】
メインシャーシ１には、支軸３Ａを回動可能に支持するために、受入れ部４と、突片部
５と、がメインシャーシ１と一体成型により形成されている。具体的には、受入れ部４は
、支軸３Ａをドライブシャーシ２の他端２ｄ側（図５〜図１５では下側）から受け入れる
ものであって、受け入れた支軸３Ａに接触する第１〜第４の接触面４ａ〜４ｄを有する。
第１の接触面４ａは、支軸３Ａの周面のうちの他端２ｄへ向く方向（図５〜図１５では下
方向）での周面（図５〜図１５では下側）に接触する。第２、第３の接触面４ｂ、４ｃは
、支軸３Ａの周面のうちの他端２ｄへ向く方向と直角な方向（図５〜図９、図１２及び図
１３では紙面に垂直方向で、図１０、図１１、図１４及び図１５では左右方向）でのそれ
ぞれ周面に接触する。第４の接触面４ｄは、支軸３Ａの端面（図５〜図８、及び図１２で
は左側で、図９及び図１３では右側で、図１０、図１１、図１４及び図１５では紙面の裏
面側）に接触する。ここで、第２の接触面４ｂと第３の接触面４ｃとの間の隙間は、支軸
３Ａの軸径とほぼ同じ寸法に設計されている。
【０００８】
他方、突片部５は、第１の接触面４ａへ向けて突出し、その先端面５ａと第１の接触面
４ａと間の隙間が支軸３Ａの軸径よりも若干大きい寸法に設計されている。この突片部５
からは、図５〜図９、図１２及び図１３での紙面に対する裏側へ向けて（図１０、図１１
、図１４及び図１５での右方向へ向けて）、レバー５ｂが突出している。そして、このレ
バー５ｂがドライブシャーシ２の左側面２ａに向く方向とは反対方向（図５〜図８、及び
図１２では左方向で、図９及び図１３では右方向で、図１０、図１１、図１４及び図１５
では紙面の裏面側）へ押圧されることにより（図１２及び図１３の実線矢印参照）、突片
部５がその押圧方向に弾性変形する。その押圧が解除されると、突片部５の弾性変形が復
元力によって戻る（図８及び図９の実線矢印参照）。
【０００９】
なお、ドライブシャーシ２の右側面２ｂに形成された支軸３Ｂに対しても、同様の受入
れ部４及び突片部５が左右対称に形成されている。
【００１０】
このようなメインシャーシ１へのドライブシャーシ２の組付け手順としては、先ず、図
７、及び図１２〜図１５に示すように、メインシャーシ１における左右の各突片部５、５
がレバー５ｂへの押圧によって弾性変形される。これにより、左右の各受入れ部４、４が
開放される。その後、ドライブシャーシ２における左右の各支軸３Ａ、３Ｂを各受入れ部
４、４に挿入する。次いで、図５、及び図８〜図１１に示すように、レバー５ｂへの押圧
が解除されて、各突片部５、５の弾性変形が戻る。
【００１１】
こうして、各支軸３Ａ、３Ｂは、各受入れ部４、４の各第１〜第４の接触面４ａ〜４ｄ
、４ａ〜４ｄに接触しつつ、残った一端２ｃへ向く方向（図５〜図１５では上方向）での
周面（図５〜図１５では上側）が各突片部５、５の先端面５ａ、５ａに接触した状態にな
り、その結果としてドライブシャーシ２がメインシャーシ１に対して回動可能になる。
【特許文献１】実用新案登録第３０９１９８６号公報
【発明の開示】
【発明が解決しようとする課題】
【００１２】
ところで、メインシャーシ１によるドライブシャーシ２の各支軸３Ａ、３Ｂの回動可能
な支持に関して、ガタツキを抑えることが重要である。メインシャーシ１に対するドライ
ブシャーシ２のガタツキが大きいと、光ディスクに対しての情報の再生や記録中にドライ
ブシャーシ２が不用意に振動してしまい、特に、重心が偏芯した光ディスクに対しては情
報の再生や記録が困難になるからである。そのガタツキを抑えるには、メインシャーシ１
における各突片部５、５の先端面５ａ、５ａと各第１の接触面４ａ、４ａと間の隙間を各
支軸３Ａ、３Ｂの軸径とほぼ同じ寸法に設計し、各支軸３Ａ、３Ｂの周面が、常時、各突
片部５、５の先端面５ａ、５ａと各第１の接触面４ａ、４ａとに接触するようにすること
が有効である。
【００１３】
しかし、そのように各突片部５、５の先端面５ａ、５ａと各第１の接触面４ａ、４ａと
間の隙間を各支軸３Ａ、３Ｂの軸径とほぼ同じ寸法に設計した場合、上記した従来の光ピ
ックアップ装置では、メインシャーシ１へのドライブシャーシ２の組付けの際、次に示す
問題が発生する。
【００１４】
各受入れ部４、４に各支軸３Ａ、３Ｂが受け入れられた後、レバー５ｂへの押圧解除に
伴って各突片部５、５が正規の位置、すなわち各突片部５、５の先端面５ａ、５ａが各支
軸３Ａ、３Ｂの周面と接触する位置まで戻ろうとするが、その戻り過程で、各突片部５、
５の先端面５ａ、５ａを含む角部のうち、ドライブシャーシ２の左右各側面２ａ、２ｂ側
（図５〜図８、及び図１２では右側で、図９及び図１３では左側で、図１０、図１１、図
１４及び図１５では紙面の表面側）の角部が各支軸３Ａ、３Ｂの端面又は周面に干渉し、
その結果として、各突片部５、５が正規の位置まで戻りきらなくなってしまう。つまり、
組付け不良が発生する。
【００１５】
もっとも、各突片部５、５の先端面５ａ、５ａと各第１の接触面４ａ、４ａと間の隙間
を各支軸３Ａ、３Ｂの軸径よりも若干大きい寸法に設計すれば、そのような組付け不良の
発生は少なからず防止できるが、その反面、メインシャーシ１に対するドライブシャーシ
２のガタツキは残る。
【００１６】
そこで本発明は、上記の問題に鑑みてなされたものであり、メインシャーシによるドラ
イブシャーシの回動可能な支持をガタツキなく行える光ピックアップ装置を提供すること
を目的とするものである。
【課題を解決するための手段】
【００１７】
上記目的を達成するため、本発明は、光ディスクが収納される合成樹脂成型品のメイン
シャーシと、このメインシャーシに収納された前記光ディスクの記録面に対して接近／離
間移動するように前記メインシャーシに支軸を中心として回動可能に支持されるとともに
、光ヘッド、接近状態で前記光ディスクを回転させる第１の駆動機構、及び接近状態で前
記光ヘッドを前記光ディスクの記録面に沿う径方向に往復移動させる第２の駆動機構を搭
載した合成樹脂成型品のドライブシャーシと、を備えた光ピックアップ装置であって、前
記ドライブシャーシの一端近傍の両側面には、前記支軸が互いに同軸上に突出して前記ド
ライブシャーシと一体成型により形成され、前記メインシャーシには、前記各支軸を前記
ドライブシャーシの他端側から受け入れて、前記各支軸の周面のうちの前記他端へ向く方
向での周面に接触する第１の接触面、及び前記他端へ向く方向と直角な方向でのそれぞれ
の周面に接触する第２、第３の接触面、並びに前記各支軸の端面に接触する第４の接触面
を有する受入れ部と、前記各第１の接触面へ向けて突出するとともに、前記ドライブシャ
ーシの前記側面に向く方向とは反対方向へ押圧されて弾性変形された後、前記各受入れ部
に前記各支軸が受け入れられ、次いで押圧が解除されて弾性変形が戻った後、前記各支軸
の周面のうちの前記一端へ向く方向での周面に先端面が接触する突片部と、が前記メイン
シャーシと一体成型により形成された光ピックアップ装置において、次の点を特徴とする
。前記各突片部の前記先端面を含む角部のうちの前記ドライブシャーシの前記側面側の角
部がＲ面取りされている。
【００１８】
このような構成にすれば、各支軸の周面が、常時、各突片部の先端面と各第１の接触面
とに接触するように、各突片部の先端面と各第１の接触面と間の隙間を各支軸の軸径とほ
ぼ同じ寸法に設計した場合であっても、メインシャーシへのドライブシャーシの組付けの
際、各受入れ部に各支軸が受け入れられた後に、各突片部への押圧が解除されると、各突
片部は、その各先端面を含む角部のうちのドライブシャーシの各両側面側の角部がＲ面取
りされているため、確実に各支軸の端面又は周面に干渉することなく、各突片部の先端面
が各支軸の周面と接触する正規の位置まで戻りきるようになる。従って、組付け不良は生
じない。
【００１９】
また上記目的を達成するために本発明は、光ディスクが収納される合成樹脂成型品のメ
インシャーシと、このメインシャーシに収納された前記光ディスクの記録面に対して接近
／離間移動するように前記メインシャーシに支軸を中心として回動可能に支持されるとと
もに、光ヘッド、接近状態で前記光ディスクを回転させる第１の駆動機構、及び接近状態
で前記光ヘッドを前記光ディスクの記録面に沿う径方向に往復移動させる第２の駆動機構
を搭載したドライブシャーシと、を備えた光ピックアップ装置において、次の点を特徴と
する。前記ドライブシャーシの一端近傍の両側面には、前記支軸が互いに同軸上に突出し
て設けられ、前記メインシャーシには、前記各支軸を前記ドライブシャーシの他端側から
受け入れて、前記各支軸の周面のうちの前記他端へ向く方向での周面に接触する第１の接
触面、及び前記他端へ向く方向と直角な方向でのそれぞれの周面に接触する第２、第３の
接触面、並びに前記各支軸の端面に接触する第４の接触面を有する受入れ部と、前記各第
１の接触面へ向けて突出するとともに、前記ドライブシャーシの前記側面に向く方向とは
反対方向へ押圧されて弾性変形された後、前記各受入れ部に前記各支軸が受け入れられ、
次いで押圧が解除されて弾性変形が戻った後、前記各支軸の周面のうちの前記一端へ向く
方向での周面に先端面が接触する突片部と、が前記メインシャーシと一体成型により形成
されている。そして、前記各突片部の前記先端面を含む角部のうちの前記ドライブシャー
シの前記側面側の角部が面取りされている。
【００２０】
このような構成にすれば、各支軸の周面が、常時、各突片部の先端面と各第１の接触面
とに接触するように、各突片部の先端面と各第１の接触面と間の隙間を各支軸の軸径とほ
ぼ同じ寸法に設計した場合であっても、メインシャーシへのドライブシャーシの組付けの
際、各受入れ部に各支軸が受け入れられた後に、各突片部への押圧が解除されると、各突
片部は、その各先端面を含む角部のうちのドライブシャーシの各両側面側の角部が面取り
されているため、各支軸の端面又は周面に干渉することなく、各突片部の先端面が各支軸
の周面と接触する正規の位置まで戻りきるようになる。従って、組付け不良は生じない。
【００２１】
ここで、各突片部への押圧解除に伴う各突片部の戻り過程で、各突片部と各支軸の端面
又は周面との干渉を確実に防止する観点から、前記各突片部における前記面取りがＲ面取
りであることが好ましい。
【００２２】
また、実用性を踏まえると、前記ドライブシャーシが合成樹脂成型品であって、前記各
支軸が前記ドライブシャーシと一体成型により形成されていることが好ましい。
【発明の効果】
【００２３】
本発明の光ピックアップ装置によれば、組付け不良の発生無く、各支軸が、常時、各受
入れ部の各第１〜第４の接触面、及び各突片部の先端面に接触した状態に、ドライブシャ
ーシをメインシャーシに組付けることができる。従って、ドライブシャーシがメインシャ
ーシに対して各支軸を中心にガタツキ無く回動可能になる。その結果、光ディスクに対し
ての情報の再生や記録中にドライブシャーシが不用意に振動してしまうことは無く、重心
が偏芯した光ディスクに対しての情報の再生や記録も十分行える。
【発明を実施するための最良の形態】
【００２４】
以下に、本発明の実施形態について図面を参照しながら詳述する。先ず、本発明の第１
実施形態の光ピックアップ装置について説明する。図１は第１実施形態である光ピックア
ップ装置の組立て後の状態での要部を示す上面図、図２は図１の下面図である。なお、こ
れらの図１及び図２中で図５〜図１５と同じ名称で同じ機能を果たす部分には同一の符号
を付し、重複する説明は適宜省略する。後述する第２実施形態においても同様とする。ま
た、図１及び図２では、ドライブシャーシ２の左右各側面２ａ、２ｂに形成された各支軸
３Ａ、３Ｂのうちで代表的に左側面２ａ側の支軸３Ａ付近を要部として示す。
【００２５】
本実施形態では、従来の光ピックアップ装置での構成と同様に、ドライブシャーシ２の
左右両側面２ａ、２ｂには、互いに同軸上に突出する支軸３Ａ、３Ｂがドライブシャーシ
２と一体成型により形成されている。また、メインシャーシ１には、支軸３Ａ、３Ｂを回
動可能に支持するために、左右対称に、受入れ部４、４と、突片部５、５と、がメインシ
ャーシ１と一体成型により形成されている。
【００２６】
特に、本実施形態では、メインシャーシ１において、各突片部５、５の各先端面５ａ、
５ａを含む角部のうちのドライブシャーシ２の左右各側面２ａ、２ｂ側（図１では右側で
、図２では左側（ちなみに図５〜図７では右側））の角部がＲ面取りされている。なお、
そのＲ面取りの形状は、メインシャーシ１を成型するための金型の彫込み形状を局部的に
修正することで実現できる。
【００２７】
このような構成にすれば、各支軸３Ａ、３Ｂの周面が、常時、各突片部５、５の先端面
５ａ、５ａと各第１の接触面４ａ、４ａとに接触するように、各突片部５、５の先端面５
ａ、５ａと各第１の接触面４ａ、４ａと間の隙間を各支軸３Ａ、３Ｂの軸径とほぼ同じ寸
法に設計した場合であっても、メインシャーシ１へのドライブシャーシ２の組付けの際、
各受入れ部４、４に各支軸３Ａ、３Ｂが受け入れられた後に、各レバー５ｂへの押圧解除
に伴って各突片部５、５の弾性変形が解放されると、各突片部５、５は、その戻り過程で
、確実に各支軸３Ａ、３Ｂの端面又は周面に干渉することなく、各突片部５、５の先端面
５ａ、５ａが各支軸３Ａ、３Ｂの周面と接触する正規の位置まで戻りきるようになる。従
って、組付け不良は生じない。
【００２８】
つまり、組付け不良の発生無く、各支軸３Ａ、３Ｂが、常時、各受入れ部４、４の各第
１〜第４の接触面４ａ〜４ｄ、４ａ〜４ｄ、及び各突片部５、５の先端面５ａ、５ａに接
触した状態に、ドライブシャーシ２をメインシャーシ１に組付けることができる。従って
、ドライブシャーシ２がメインシャーシ１に対して各支軸３Ａ、３Ｂを中心にガタツキ無
く回動可能になる。その結果、光ディスクに対しての情報の再生や記録中にドライブシャ
ーシ２が不用意に振動してしまうことは無く、重心が偏芯した光ディスクに対しての情報
の再生や記録も十分行える。
【００２９】
次に、本発明の第２実施形態について、図３及び図４を参照しながら説明する。図３は
第２実施形態である光ピックアップ装置の組立て後の状態での要部を示す上面図、図４は
図３の下面図である。
【００３０】
本第２実施形態では、第１実施形態と比較して、各突片部５、５の面取り形状が異なる
。つまり、第１実施形態での面取り形状がＲ面取りであるのに対し、本実施形態ではＣ面
取りになっている。このようにしても、各レバー５ｂへの押圧解除に伴う各突片部５、５
の戻り過程において、各突片部５、５と各支軸３Ａ、３Ｂの端面又は周面との干渉防止が
期待できる。従って、第１実施形態と同様の効果が得られる。
【００３１】
その他本発明は上記の各実施形態に限定されず、本発明の趣旨を逸脱しない範囲で、種
々の変更が可能である。例えば、各突片部５、５の各先端面５ａ、５ａを含む角部のうち
、少なくともドライブシャーシ２の左右各側面２ａ、２ｂ側の角部が面取りされている限
り、他の角部も面取りされても構わない。また、ドライブシャーシ２における各支軸３Ａ
、３Ｂが予め別部品として単品で成型され、それがドライブシャーシ２の左右両側面２ａ
、２ｂから突出するように取り付けられても構わない。
【産業上の利用可能性】
【００３２】
本発明は、光ディスクに対して情報の再生や記録を行うための光ピックアップ装置に有
用である。
【図面の簡単な説明】
【００３３】
【図１】本発明の第１実施形態である光ピックアップ装置の組立て後の状態での要部を示す上面図である。
【図２】図１の下面図である。
【図３】本発明の第２実施形態である光ピックアップ装置の組立て後の状態での要部を示す上面図である。
【図４】図３の下面図である。
【図５】本発明にも共通する一般的な光ピックアップ装置の組立て後の状態を示す上面図である。
【図６】図５の光ピックアップ装置の分解状態を示す上面図である。
【図７】図５の光ピックアップ装置の組立て中の状態を示す上面図である。
【図８】従来の光ピックアップ装置の組立て後の状態での要部を示す上面図である。
【図９】図８の下面図である。
【図１０】図８のＡ−Ａ断面図である。
【図１１】図８のＢ−Ｂ断面図である。
【図１２】従来の光ピックアップ装置の組立て中の状態での要部を示す上面図である。
【図１３】図１２の下面図である。
【図１４】図８のＡ−Ａ断面に相当する図１２のＣ−Ｃ断面図である。
【図１５】図８のＢ−Ｂ断面に相当する図１２のＤ−Ｄ断面図である。
【符号の説明】
【００３４】
１    メインシャーシ
２    ドライブシャーシ
２ａ    左側面
２ｂ    右側面
２ｃ    一端
２ｄ    他端
３Ａ    支軸
３Ｂ    支軸
４    受入れ部
４ａ    第１の接触面
４ｂ    第２の接触面
４ｃ    第３の接触面
４ｄ    第４の接触面
５    突片部
５ａ    先端面
５ｂ    レバー
【図１】
2006302370.tif 000003
【図２】
2006302370.tif 000004
【図３】
2006302370.tif 000005
【図４】
2006302370.tif 000006
【図５】
2006302370.tif 000007
【図６】
2006302370.tif 000008
【図７】
2006302370.tif 000009
【図８】
2006302370.tif 000010
【図９】
2006302370.tif 000011
【図１０】
2006302370.tif 000012
【図１１】
2006302370.tif 000013
【図１２】
2006302370.tif 000014
【図１３】
2006302370.tif 000015
【図１４】
2006302370.tif 000016
【図１５】
2006302370.tif 000017